(57)【特許請求の範囲】
【請求項１】
浴室天井部等に設置される浴室暖房機を利用する衣類乾燥システムであって、
浴室内を区画する複数のゾーンの各ゾーン（ｋ）について、標準衣類を干したときの標準乾燥時間（τｋ）情報テーブルと、
浴室内に搬入する一又は複数の乾燥対象衣類に関して、繊維種類と生地厚により定まる衣類タイプ（Ｃij）及び乾燥容易性（Ｄij）を含む衣類情報を取得する衣類情報取得手段と、
標準乾燥時間情報と衣類情報に基づいて、それぞれの乾燥対象衣類について、各ゾーンに干したときの乾燥予測時間（Ｔ（Ｃij））を、Ｔ(Ｃij)＝τｋ×Ｄij ・・・・（１）式により演算する手段と、
（１）式を用いて、乾燥対象衣類を任意のゾーンに配置したときの演算を全ての組み合わせについて行い、Ｔ（Ｃij）の分散値が最小となる組み合わせのゾーン配置を推奨ゾーン配置として決定する手段と、
を備えて成ることを特徴とする衣類乾燥システム。
【請求項２】
複数の標準タイプ浴室に対する前記乾燥時間情報テーブルと、
当該浴室がいずれのタイプに該当するかを判定する標準タイプ判定手段と、
該当する標準タイプ浴室の前記乾燥時間情報テーブルを用いて、前記乾燥予測時間を演算する手段と、
を、さらに備えて成ることを特徴とする請求項１に記載の衣類乾燥システム。
【請求項３】
前記標準タイプ判定手段が、
各標準タイプ浴室に前記浴室暖房機を設置して、衣類を搬入しない状態である基準条件で運転したときの、吸い込み温度経時変化情報テーブルと、
対象浴室に該浴室暖房機を設置して基準条件で運転したときの、吸込み温度の経時変化データを取得する手段と、
当該浴室の吸込み温度経時変化データに近似する吸込み温度経時変化情報を有する標準浴室タイプを以って、当該浴室の浴室タイプと判定する手段と、
を含むことを特徴とする請求項１又は２に記載の衣類乾燥システム。
【請求項４】
前記衣類情報取得手段が、衣類に取り付けられたＩＣタグと、浴室入口近傍に配設されたＩＣリーダライタと、を含むことを特徴とする請求項１乃至３に記載の衣類乾燥装置。
【請求項５】
請求項１乃至４に記載の衣類乾燥システムにおいて、
運転開始後、乾燥予測時間の衣類に対応した時間経過後に運転を一旦停止し、
再運転指示を受けたときに限り、運転を再開することを特徴とする衣類乾燥システムの運転制御方法。
【請求項６】
前記基準条件で運転したときの吸い込み温度経時変化情報テーブルを、複数の標準タイプ浴室について備え、かつ、
対象浴室において前記基準条件で運転したときの、吸込み温度経時変化データを取得する手段と、
該吸込み温度経時変化データに近似する吸込み温度経時変化情報を有する標準浴室タイプを以って、当該対象浴室の浴室タイプと判定する手段と、
を備えて成ることを特徴とする請求項１乃至４に記載の衣類乾燥システムに用いる浴室暖房機。
【発明の詳細な説明】
【技術分野】
【０００１】
本発明は衣類乾燥システム及びその運転制御方法に係り、特に、浴室内に設置される浴室暖房（乾燥）機を利用する衣類乾燥システム及びその運転制御方法に関する。
【背景技術】
【０００２】
従来、浴室暖房（乾燥）機を利用した衣類乾燥においては、熱源機から供給される循環温水を機器内部の熱交換器に導き、浴室空気を吸い込んで熱交換器で加熱して温風とする。さらに、さらに温風を浴室内に供給することにより浴室内温度を上昇させ、又は、温風を直接吹き付けることにより、衣類を乾燥させる。この場合、乾燥制御は吸い込む浴室空気の湿度や温度情報に基づいて行われる（例えば特許文献１）。
【特許文献１】特開平１０−１７００５０号公報
【発明の開示】
【発明が解決しようとする課題】
【０００３】
しかしながら、従来の浴室乾燥機を利用する乾燥制御方式では、浴室内で衣類を干す位置や、衣類種類等によって乾燥に要する時間が区々であるため、均一な乾燥ができないという問題がある。また、異なる種類の衣類を同一制御で乾燥するため、繊維種類によっては生地を傷めるおそれもある。さらに、ユニットバス等に関しては複数の標準浴室タイプが存在するが、従来の浴室乾燥機では浴室広さ（タイプ）に対応した乾燥プログラムは搭載されておらず、乾燥時間を予測した制御ができないという問題がある。
【０００４】
本発明は、このような問題を解決するためのものであって、異なる種類の衣類を一緒に乾燥する場合であっても均一、かつ、生地を傷めることのない衣類乾燥システム及びその運転制御方法を提供するものである。また、浴室タイプ（広さ）に対応して乾燥完了に要する時間の目安を、使用者に知らせることができる衣類乾燥システム及びその運転制御方法を提供するものである。
【課題を解決するための手段】
【０００５】
本発明は、以下の内容を要旨とする。すなわち、
請求項１の発明は、浴室天井部等に設置される浴室暖房機を利用する衣類乾燥システムであって、浴室内を区画する複数のゾーンの各ゾーンについて、標準衣類を干したときの標準乾燥時間情報テーブルと、浴室内に搬入する一又は複数の乾燥対象衣類に関して、乾燥容易性を含む衣類情報を取得する衣類情報取得手段と、標準乾燥時間情報と衣類情報に基づいて、それぞれの乾燥対象衣類について、各ゾーンに干したときの乾燥予測時間を演算する手段と、乾燥対象衣類と乾燥ゾーンの組み合わせの中から、乾燥予測時間に基づいて所望の組み合わせを決定する手段と、を備えて成ることを特徴とする衣類乾燥システムである。
本発明により、効率的かつ使用者の望む衣類配置を選択することができる。例えば、最も乾燥しにくい衣類の位置を最も乾燥しやすいゾーンに配置することも可能であり、また、各衣類の乾燥時間が平均的になるように配置することも可能となる。
本発明において、「衣類情報」とは衣類の乾燥容易度の指標を含む情報であり、繊維種類、布地厚さ等に関する情報が例示される。
また、「標準衣類」としては、標準的な乾燥条件の衣類を選定することができる。
【０００６】
上記において、複数の標準タイプ浴室に対する前記乾燥時間情報テーブルと、当該浴室がいずれのタイプに該当するかを判定する標準タイプ手段と、該当する標準タイプ浴室の前記乾燥時間情報テーブルを用いて、乾燥予測時間を演算する手段と、を、さらに備えて成ることを特徴とする（請求項２）。
上記において、標準タイプ浴室判定手段が、各標準タイプ浴室に浴室暖房機を設置して基準条件で運転したときの、吸い込み温度経時変化情報テーブルと、対象浴室に該浴室暖房機を設置して基準条件で運転したときの、吸込み温度の経時変化データを取得する手段と、当該浴室の吸込み温度経時変化データに近似する吸込み温度経時変化情報を有する標準浴室タイプを以って、当該浴室の浴室タイプと判定する手段と、を含むことを特徴とする（請求項３）。
ユニットバス等においては、浴室タイプ（広さ）が複数種類存在し、浴室タイプに応じて浴室暖房機運転時における浴室内の温度分布、温度上昇速度が異なる。本発明の如き複数の標準タイプ浴室に対する前記乾燥時間情報テーブルを備えて、吸い込み温度の経時変化実測データと比較することにより、浴室暖房機が設置される浴室に適合する乾燥運転制御に用いるテーブルを特定することができる。
【０００７】
上記において、衣類情報取得手段が、衣類に取り付けられたＩＣタグと、浴室入口近傍に配設されたＩＣリーダライタと、を含むことを特徴とする（請求項４）。
本発明により、使用者が入力することなく乾燥対象衣類を特定することが可能となる。
請求項５の発明は、上記衣類乾燥システムにおいて、運転開始後、乾燥予測時間の衣類に対応した時間経過後に運転を一旦停止し、再運転指示を受けたときに限り、運転を再開することを特徴とする衣類乾燥システムの運転制御方法である。
本発明によれば、乾燥運転途中段階で運転を一旦停止して、全体の乾燥状態がチェックでき、さらに衣類配置の変更も可能となるため、より効率的な乾燥運転制御が可能となる。
請求項６の発明は、基準条件で運転したときの吸い込み温度経時変化情報テーブルを、複数の標準タイプ浴室について備え、かつ、対象浴室において基準条件で運転したときの、吸込み温度経時変化データを取得する手段と、該吸込み温度経時変化データに近似する吸込み温度経時変化情報を有する標準浴室タイプを以って、当該対象浴室の浴室タイプと判定する手段と、を備えて成ることを特徴とする浴室暖房機である。
本発明の浴室暖房機によれば、衣類乾燥のみならず、浴室暖房その他の用途に対しても目的に即した効率的な運転制御が可能となる。
【発明の効果】
【０００８】
本発明によれば、衣類ごとに干す位置を指定することができるため、乾燥条件を均一にすることができ、生地を傷めるおそれのない衣類乾燥が可能となる。
また、浴室のタイプ（広さ）に対応して最適衣類乾燥プログラムに従って運転されるため、使用者に乾燥時間の目安を知らせることができるという効果がある。
【発明を実施するための最良の形態】
【０００９】
以下、本発明に係る衣類乾燥システムの実施形態について、図１乃至１０を参照してさらに詳細に説明する。なお、重複を避けるため、各図において同一構成には同一符号を用いて示している。なお、本発明の範囲は特許請求の範囲記載のものであって、以下の実施形態に限定されないことはいうまでもない。
【００１０】
（第一の実施形態）
本実施形態は浴室タイプの特定に関し、当該浴室の衣類乾燥時間の目安を与えるものである。図１は、本実施形態に係る衣類乾燥システム１の全体構成を示すものである。図２は、標準浴室タイプにおける浴室暖房機の標準運転時における温度変化情報テーブルの概念図である。図３は、本実施形態の制御フローを示す図である。
【００１１】
図１を参照して、衣類乾燥システム１は、浴室３の天井部に設けられた浴室乾燥機２と、浴室３外部に設けられたコントローラ１０を主要構成として備えている。浴室３は、入口ドア７と、内部に浴槽４と、天井部近傍に乾燥対象の衣類６を干すための物干ポール５が設けられている。浴室乾燥機２は、筐体２ａ内部に吸い込みファン２ｅ、熱交換器２ｂ、吹出しルーバ２ｄ、吸い込みルーバ２ｃ、コントローラ１０と信号の授受を行い乾燥運転制御する制御部２ｆを備えている。吸い込みルーバ２ｃ近傍には、浴室内空気の温度、湿度計測用の温度センサ８及び湿度センサ９が配設されており、計測結果を随時、制御部２ｆに送信可能に構成されている。熱交換器２ｂには温水配管（図示せず）が接続されており、熱源機（図示せず）から供給される温水が熱交換器内部を循環するように構成されている。このような構成により、浴室乾燥機２は吸い込みルーバ２ｃから吸い込んだ浴室内空気を熱交換器２ｂで加熱して温風とし、吹出しルーバ２ｄを介して浴室３に供給すことを可能としている。
【００１２】
コントローラ１０は、いずれも不図示のＣＰＵ、ＲＡＭ、ＲＯＭ及びメモリ部等を備え、使用者の要求及び／又は各センサの検出値に対応して、ＲＯＭに格納されている所定のプログラムに基づいて後述の各制御を行うように構成されている。また、コントローラ１０のメモリ部には、広さの異なる３つの標準ユニットバスＢ１、Ｂ２、Ｂ３の天井部に浴室乾燥機２を設置して基準条件で運転を行ったときの、吸い込み温度変化情報テーブルを備えている。格納されているデータは、図２の吸い込み温度変化曲線に対応する値である。さらに、コントローラ１０のパネル前面にはいずれも不図示の表示部、運転制御用各種ＳＷ、後述する衣類情報入力キー等を備えている。
【００１３】
衣類乾燥システム１は以上のように構成されており、次に、図３をも参照して本実施形態における浴室タイプ判定フローについて説明する。使用者がコントローラ１０の浴室タイプ判定用運転ＳＷ（図示せず）を押すことにより、浴室タイプ判定運転が開始される（ステップＳ１０１）。運転開始後、所定時間（例えば１分間）ごとに温度センサ８の温度データがコントローラ１０に取り込まれる（ステップＳ１０２）。一定時間（例えば３０分間）経過後、取り込まれた温度上昇データと判定テーブルの格納データとの比較が行われる（ステップＳ１０３）。例えば、図２中の破線に示す実測データＢｒが得られたときは、曲線Ｂｒに最も近似しているＢ２を当該浴室のタイプと判定する。判定に際しては、例えば最小自乗法を用いることができる。以上のステップにより、浴室タイプが決定され（ステップＳ１０４）、以降の衣類乾燥制御はＢ２タイプの浴室内温度上昇を前提として行うことができる。
【００１４】
なお、本実施形態では標準浴室を３タイプとしたが、これに限らずさらに多種類のタイプとすることもできる。
また、浴室タイプ判定を吸い込み温度上昇に基づいて行う形態としたが、予め求めた標準タイプ浴室における洗濯後の衣類乾燥に伴う湿度変化テーブルを用いて判定する形態とすることもできる。
【００１５】
（第二の実施形態）
次に、図４乃至８を参照して本発明の他の実施形態について説明する。本実施形態は、上述の実施形態において浴室タイプが決定された後の衣類乾燥制御に対応するものである。本実施形態の構成は第一の実施形態に係る衣類乾燥システム１と同一であるので、重複説明を省略する。
【００１６】
図４は、図１におけるＡ−Ａ’矢示図である。同図において、浴室３を同一幅の５つの乾燥ゾーンＺ１乃至Ｚ５に分割している。また、点Ｐ１乃至Ｐ５は各乾燥ゾーンの中央、かつ、ポール５の下方ｈの点であり、各乾燥ゾーンにおける衣類乾燥の目安となる湿度変化の代表点として定めている。
【００１７】
図５は、代表点Ｐ１乃至Ｐ５における乾燥時湿度変化を示したものである。同図において、各代表点における乾燥開始時湿度Ｗｉ（例えば８０％）から乾燥完了湿度Ｗｆ（例えば２０％）に達するまでの時間が、τｋ（ｋ＝１〜５）で示される。
【００１８】
図６は、乾燥対象となる衣類のタイプ分類及び各タイプの乾燥時間係数を示したものである。衣類タイプは繊維種類と生地厚の組み合わせとして分類され、繊維種類はウール、綿、合成繊維の３分類、また生地厚は厚手、普通、薄手の３分類に分類される。各分類に対して分類番号Ｃij（ｉ＝１−３，ｊ＝１−３）が付されている（上段）。さらに各欄の下段は、各衣類タイプの乾燥時間係数Ｄijを示したものである。それぞれの値は、標準衣類タイプＤ２２（ここでは、綿・普通の組み合わせ）の乾燥時間を１．０としたときの比として示されている。
【００１９】
乾燥予測時間τｋ及び乾燥時間係数Ｄijにより、乾燥対象の衣類をいずれかの代表点に配置したときの乾燥時間の予測が可能となる。すなわち、衣類タイプＣijの衣類を乾燥ゾーンＺｋに配置したときの乾燥時間Ｔ(Ｃij)は、次式で示される。
【００２０】
Ｔ(Ｃij)＝τｋ×Ｄij    ・・・・（１）
（１）式を用いて、乾燥対象衣類を任意のゾーンに配置したときの演算を、全ての組み合わせについて行う。そして、Ｔ（Ｃij）の分散値が最小となる組み合わせのゾーン配置を推奨ゾーン配置とする。
【００２１】
次に、図７をも参照して、本実施形態の衣類乾燥制御フローについて説明する。使用者がコントローラ１０の該当キー（図示せず）により、複数の乾燥対象衣類について衣類ＩＤと図６の分類による衣類タイプを入力する（ステップＳ２０１）。なお、衣類ＩＤは各衣類のハンガー等に付されている番号を入力する。制御部では入力情報に基づいて、衣類ＩＤごとに上述の演算を行う（ステップＳ２０２）。さらに、Ｔ（Ｃij）の分散値が最小となる推奨ゾーン配置、及び乾燥予測時間を表示する（ステップＳ２０３）。
図８は、コントローラ１０の表示部（図示せず）に表示される内容を概念的に示したものである。使用者は、表示に従い各衣類を指定位置に吊下げ、乾燥運転を開始する（ステップＳ２０４）。運転開始後、最短乾燥時間の衣類の乾燥所要想定時間経過後に（ステップＳ２０５）、運転を一旦停止する（ステップＳ２０６）。この段階で使用者は乾燥状態の確認を行い、運転を再開するか否かの判断を行うことができ（ステップＳ２０７）、適宜、吊下げ位置の変更を行うこともできる。例えば、乾燥予測時間の最も長い衣類を高温ゾーンＺ３に移すことができる。その後、運転が再開され（ステップＳ２０８）、所定時間経過後に（ステップＳ２０９）、運転を終了する（ステップＳ２１０）。
なお、本実施形態では一のゾーンに一の衣類を配置する形態としたが、これに限らず一のゾーンに複数の衣類を配置する形態とすることもできる。
また、本実施形態では浴室暖房機のルーバを固定して風向一定としているが、これに限らず風向を可変とし、乾燥時間の掛かる衣類が配置されているゾーンにルーバを向ける形態とすることもできる。
【００２２】
（第三の実施形態）
さらに、本発明の他の実施形態について図９、１０を参照して説明する。図９は、本実施形態に係る衣類乾燥システム３０を示す図である。また、図１０はＩＣリーダライタ３１とＩＣタグ３２の制御ブロックを示す図である。本実施形態が第二の実施形態と異なる点は、衣類タイプの判定に関し、上述の実施形態では使用者が行っているのに対して、本実施形態では衣類に取り付けられたＩＣタグとＩＣリーダライタの読み取りデータに基づいて自動的に行うことである。図９を参照して、本実施形態に係る衣類乾燥システム３０の構成が上述の衣類乾燥システム１と異なる点は、入口ドア７の上部にＩＣリーダライタ３１を備えおり、また、浴室に搬入される衣類にＩＣタグ３２が付されていることである。
【００２３】
次に図１０（ａ）を参照して、ＩＣリーダライタ３１の制御ブロックは、全体の動作制御を司る制御部（ＣＰＵ）３１ａ、制御プログラム等を格納するメモリ部３１ｃ、浴室乾燥機２のコントローラ１０との通信授受を行う送受信部３１ｂ、ＩＣタグ３２からのデータを受信する通信部３１ｄ、ＩＣタグ３２と無線送受信を行うアンテナ３２ｅを主要構成として備えている。また、同図（ｂ）を参照して、ＩＣタグ３２の制御ブロックは制御部（ＣＰＵ）３２ａ、衣類情報及び制御プログラム等を格納するメモリ部３２ｃ、非接触誘導電流方式により電力を生成して、各部に電力供給する電源生成部３１ｄ、ＩＣリーダライタ３１と無線による送受信を行うアンテナ３２ｅを主要構成として備えている。なお、メモリ部３２ｃには、衣類情報として当該衣類ＩＤ及び衣類タイプ（繊維種類及び生地厚情報）が格納されている。その他の構成は衣類乾燥システム１と同一であるので、説明を省略する。
【００２４】
次に、本実施形態の衣類乾燥制御フローについて説明する。衣類乾燥制御フローは、基本的に第二の実施形態の制御フロー（図８）と同様である。これと異なる点は、ステップＳ１０１において乾燥タイプを使用者が入力することに替えて、搬入時にＩＣタグ３２に付された衣類情報をＩＣリーダライタ３１が読み取り、これをコントローラ１０に送信することである。その後のフローは図８と同一である。このようにして第二の実施形態と同様に乾燥制御が行われることになる。
【００２５】
なお、本実施形態では、衣類情報を入口ドア７の上部に設けたＩＣリーダライタ３１が読み取る形態としたが、複数のＩＣリーダライタを別の場所に設け、互いに照合する形態とすることもできる。これによりさらに正確な衣類情報の取得が可能となる。
【産業上の利用可能性】
【００２６】
本発明は、熱源を問わず浴室に設置する浴室暖房機を用いたシステムに広く利用可能である。
【図面の簡単な説明】
【００２７】
【図１】第一の実施形態に係る衣類乾燥システム１を示す図である。
【図２】標準浴室タイプにおける浴室暖房機の標準運転時における温度変化情報テーブルの概念図である。
【図３】第一の実施形態の制御フローを示す図である。
【図４】図１におけるＡ−Ａ’矢示図である。
【図５】代表点Ｐ１乃至Ｐ５における乾燥時湿度変化を示す図である。
【図６】衣類タイプ別分類及び乾燥時間係数を示す図である。
【図７】第二の実施形態の制御フローを示す図である。
【図８】コントローラ１０表示部に表示される内容を概念的に示した図である。
【図９】第三の実施形態に係る衣類乾燥システム３０を示す図である。
【図１０】ＩＣリーダライタ３１及びＩＣタグ３２の制御ブロックを示す図である。
【符号の説明】
【００２８】
１、３０      衣類乾燥システム
２      浴室乾燥機
３      浴室
５      物干ポール
７      入口ドア
８      温度センサ
９      湿度センサ
３１    ＩＣリーダライタ
３２    ＩＣタグ
Ｔ      乾燥時間
Ｗｆ    乾燥完了時湿度
Ｗｉ    乾燥開始時湿度
Ｚ１〜Ｚ５    乾燥ゾーン
Ｃij    衣類タイプ
Ｄij    乾燥時間係数
【図１】
0004808077.tif 000002
【図２】
0004808077.tif 000003
【図３】
0004808077.tif 000004
【図４】
0004808077.tif 000005
【図５】
0004808077.tif 000006
【図６】
0004808077.tif 000007
【図７】
0004808077.tif 000008
【図８】
0004808077.tif 000009
【図９】
0004808077.tif 000010
【図１０】
0004808077.tif 000011